(57)【要約】      （修正有）【課題】光網終端装置及び光回線終端装置の電力節減のための方法を提供する。【解決手段】第１スリープグループ５００はＴスリープ＿１のスリープ周期、第２スリープグループ５１０はＴスリープ＿２のスリープ周期、第３スリープグループ５２０はＴスリープ＿３のスリープ周期を有し、ＯＮＴ５５０は第１スリープグループに、ＯＮＴ５５１及びＯＮＴ５５３は第２スリープグループに、ＯＮＴ５５２は第３スリープグループに夫々含まれる。データフレーム５３０にはスリープ同期化メッセージＳＡが含まれる。ＯＮＴ５５１は、スリープアウェア状態でスリープ同期化メッセージを受信して直ちにアスリープ状態に遷移した後Ｔスリープ＿２に対するタイマーを作動させ、タイマーが終了後スリープアウェア状態に遷移する。また低電力状態終了要求メッセージを受信するとアクティブヘルド状態に遷移して同期化されたスリープモードを終了し、正常モードとして動作する。【選択図】図５
2015033139.tif 000002
【特許請求の範囲】
【請求項１】
光回線終端装置から第１スリープグループに対するスリープ同期化メッセージを光網終端装置が受信するステップと、
前記光網終端装置が前記第１スリープグループに含まれる場合、光送信機をオフするアスリープ状態に遷移するステップと、
を含むことを特徴とする光網終端装置の電力節減方法。
【請求項２】
前記第１スリープグループの第１スリープ周期経過後に前記光送信機をオンするスリープアウェア状態に遷移するステップをさらに含むことを特徴とする請求項１に記載の光網終端装置の電力節減方法。
【請求項３】
前記アスリープ状態は光受信機をさらにオフし、前記スリープアウェア状態は前記光受信機をさらにオンすることを特徴とする請求項２に記載の光網終端装置の電力節減方法。
【請求項４】
前記光網終端装置が前記第１スリープグループに含まれない場合、前記光送信機がオンされるスリープアウェア状態を保持するステップをさらに含むことを特徴とする請求項１に記載の光網終端装置の電力節減方法。
【請求項５】
前記光網終端装置は、前記光回線終端装置とのシグナリングによって少なくとも１つのスリープグループのうち１つのスリープグループに含まれるようにグループ化されることを特徴とする請求項１に記載の光網終端装置の電力節減方法。
【請求項６】
前記少なくとも１つのスリープグループそれぞれのスリープ周期は、相異に設定されることを特徴とする請求項５に記載の光網終端装置の電力節減方法。
【請求項７】
前記少なくとも１つのスリープグループそれぞれのスリープ周期は、前記少なくとも１つのスリープグループそれぞれに含まれる光網終端装置が提供しているサービスの種類、及び前記光網終端装置のハードウェアの性能に応じて相異に設定されることを特徴とする請求項６に記載の光網終端装置の電力節減方法。
【請求項８】
前記光回線終端装置から低電力状態終了要求メッセージを前記光網終端装置が受信する場合、前記光網終端装置がスリープアウェア状態で正常動作を行うためのアクティブヘルド状態に遷移するステップをさらに含むことを特徴とする請求項１に記載の光網終端装置の電力節減方法。
【請求項９】
前記アクティブヘルド状態に遷移するステップは、前記光網終端装置が前記アクティブヘルド状態に遷移する場合、前記光回線終端装置に低電力状態転換終了メッセージを送信することを特徴とする請求項８記載の光網終端装置の電力節減方法。
【請求項１０】
少なくとも１つの光網終端装置を少なくとも１つのスリープグループにグループ化するステップと、
前記少なくとも１つのスリープグループに対するスリープ同期化メッセージを前記少なくとも１つの光網終端装置に送信するステップと、
を含むことを特徴とする光回線終端装置の電力節減方法。
【請求項１１】
前記グループ化するステップは、前記少なくとも１つのスリープグループそれぞれのスリープ周期を相異に設定するステップを含むことを特徴とする請求項１０に記載の光回線終端装置の電力節減方法。
【請求項１２】
前記スリープ周期を相異に設定するステップは、前記少なくとも１つのスリープグループそれぞれに含まれる光網終端装置が提供しているサービスの種類、及び前記光網終端装置のハードウェアの性能に応じて前記スリープ周期を相異に設定することを特徴とする請求項１１に記載の光回線終端装置の電力節減方法。
【請求項１３】
前記スリープ同期化メッセージを前記少なくとも１つの光網終端装置に送信するステップは、前記少なくとも１つのスリープグループそれぞれに含まれる光網終端装置に、前記少なくとも１つのスリープグループそれぞれに対応するスリープ周期にスリープ同期化メッセージを送信することを特徴とする請求項１０に記載の光回線終端装置の電力節減方法。
【請求項１４】
第１光網終端装置に送信するデータが受信される場合、前記光回線終端装置がローパワースリープ状態からアラートスリープ状態に遷移するステップと、
前記第１光網終端装置が含まれるスリープグループから前記第１光網終端装置を除去するステップと、
をさらに含むことを特徴とする請求項１０に記載の光回線終端装置の電力節減方法。
【請求項１５】
前記アラートスリープ状態に遷移するステップは、前記第１光網終端装置に低電力状態終了要求メッセージを送信するステップをさらに含むことを特徴とする請求項１４に記載の光回線終端装置の電力節減方法。
【請求項１６】
前記第１光網終端装置から低電力状態転換終了メッセージを受信する場合、前記光回線終端装置が前記アラートスリープ状態から正常動作のためのアウェイクフォース状態に遷移するステップをさらに含むことを特徴とする請求項１５に記載の光回線終端装置の電力節減方法。
【請求項１７】
前記グループ化するステップは、前記光網終端装置とのシグナリングによって少なくとも１つのスリープグループのうち１つのスリープグループに前記光網終端装置が含まれるようにグループ化することを特徴とする請求項１０に記載の光回線終端装置の電力節減方法。
【請求項１８】
予め設定された時間の間に第２光網終端装置に対するトラフィックが存在しない場合、低電力状態開始要求メッセージを前記第２光網終端装置に送信するステップと、
前記光回線終端装置が正常動作のためのアウェイクフォース状態から電力節減のためのローパワースリープ状態に遷移するステップと、
をさらに含むことを特徴とする請求項１０に記載の光回線終端装置の電力節減方法。
【請求項１９】
前記ローパワースリープ状態に遷移するステップは、前記第２光網終端装置が含まれるように決定されたスリープグループに前記第２光網終端装置を追加するステップを含むことを特徴とする請求項１８に記載の光回線終端装置の電力節減方法。
【請求項２０】
光回線終端装置から予め決定される第１スリープグループに対するスリープ同期化メッセージを光網終端装置が受信するステップと、
前記光網終端装置が前記第１スリープグループに含まれるか否かに応じて前記光回線終端装置との通信有無を決定するステップと、
を含むことを特徴とする光網終端装置の電力節減方法。
【発明の詳細な説明】
【技術分野】
【０００１】
光網終端装置（ＯＮＴ：Ｏｐｔｉｃａｌ  Ｎｅｔｗｏｒｋ  Ｔｅｒｍｉｎａｌ）及び光回線終端装置（ＯＬＴ：Ｏｐｔｉｃａｌ  Ｌｉｎｅ  Ｔｅｒｍｉｎａｌ）の電力節減方法を提供する。より具体的に、同期化されたスリープ周期を用いて光網終端装置と光回線終端装置における電力節減方法を提供する。
【背景技術】
【０００２】
最近、ＩＴＵ−Ｔでは次世代光加入者網における電力節減重要性を認識して光網終端装置の電力管理方式について盛んに研究が行われている。光網終端装置の電力管理方式ではドーズスリープモード（Ｄｏｚｉｎｇ  Ｓｌｅｅｐ  Ｍｏｄｅ）とサイクリックスリープモード（Ｃｙｃｌｉｃ  Ｓｌｅｅｐ  Ｍｏｄｅ）が知られている。
【０００３】
ドーズスリープモードでは、光網終端装置の光受信部は常にオンにした状態で光送信部のみを周期的にオン／オフさせる方式である。ドーズスリープモードは電力節減の効率は小さいものの、安定運用が可能な長所がある。
【０００４】
一方、サイクリックスリープモードは、光網終端装置の光送信部と光受信部の全てを周期的にオン／オフさせる方法である。サイクリックスリープモードは、電力節減の効率を高める長所があるが、正確な動作実現のためにより複雑な制御方式を必要とする。
【発明の概要】
【課題を解決するための手段】
【０００５】
一側面によると、光回線終端装置から第１スリープグループに対するスリープ同期化メッセージを光網終端装置が受信するステップと、前記光網終端装置が前記第１スリープグループに含まれる場合、光送信機をオフするアスリープ状態に遷移するステップとを含む光網終端装置の電力節減方法を提供する。
【０００６】
また、前記第１スリープグループの第１スリープ周期経過後に前記光送信機をオンするスリープアウェア状態に遷移するステップをさらに含んでもよい。
【０００７】
また、前記アスリープ状態は光受信機をさらにオフし、前記スリープアウェア状態は前記光受信機をさらにオンしてもよい。
【０００８】
一実施形態によると、前記光網終端装置が前記第１スリープグループに含まれない場合、前記光送信機がオンされるスリープアウェア状態を保持するステップをさらに含んでもよい。
【０００９】
また、前記光網終端装置は、前記光回線終端装置とのシグナリングによって少なくとも１つのスリープグループのうち１つのスリープグループに含まれるようにグループ化されてもよい。
【００１０】
また、前記少なくとも１つのスリープグループそれぞれのスリープ周期は、相異に設定されてもよい。さらに、前記少なくとも１つのスリープグループそれぞれのスリープ周期は、前記少なくとも１つのスリープグループそれぞれに含まれる光網終端装置が提供しているサービスの種類、及び前記光網終端装置のハードウェアの性能に応じて相異に設定されてもよい。
【００１１】
一実施形態によると、前記光回線終端装置から低電力状態終了要求メッセージを前記光網終端装置が受信する場合、前記光網終端装置がスリープアウェア状態で正常動作を行うためのアクティブヘルド状態に遷移するステップをさらに含んでもよい。
【００１２】
前記アクティブヘルド状態に遷移するステップは、前記光網終端装置が前記アクティブヘルド状態に遷移する場合、前記光回線終端装置に低電力状態転換終了メッセージを送信してもよい。
【００１３】
他の一実施形態によると、少なくとも１つの光網終端装置を少なくとも１つのスリープグループにグループ化するステップと、前記少なくとも１つのスリープグループに対するスリープ同期化メッセージを前記少なくとも１つの光網終端装置に送信するステップとを含む光回線終端装置の電力節減方法を提供する。
【００１４】
一実施形態によると、前記グループ化するステップは、前記少なくとも１つのスリープグループそれぞれのスリープ周期を相異に設定するステップを含んでもよい。
【００１５】
また、前記スリープ周期を相異に設定するステップは、前記少なくとも１つのスリープグループそれぞれに含まれる光網終端装置が提供しているサービスの種類、及び前記光網終端装置のハードウェアの性能に応じて前記スリープ周期を相異に設定してもよい。
【００１６】
また、前記スリープ同期化メッセージを前記少なくとも１つの光網終端装置に送信するステップは、前記少なくとも１つのスリープグループそれぞれに含まれる光網終端装置に、前記少なくとも１つのスリープグループそれぞれに対応するスリープ周期にスリープ同期化メッセージを送信してもよい。
【００１７】
一実施形態によると、第１光網終端装置に送信するデータが受信される場合、前記光回線終端装置がローパワースリープ状態からアラートスリープ状態に遷移するステップと、前記第１光網終端装置が含まれるスリープグループから前記第１光網終端装置を除去するステップと、をさらに含んでもよい。
【００１８】
また、前記アラートスリープ状態に遷移するステップは、前記第１光網終端装置に低電力状態終了要求メッセージを送信するステップをさらに含んでもよい。
【００１９】
さらに、前記第１光網終端装置から低電力状態転換終了メッセージを受信する場合、前記光回線終端装置が前記アラートスリープ状態から正常動作のためのアウェイクフォース状態に遷移するステップをさらに含んでもよい。
【００２０】
一実施形態によると、前記グループ化するステップは、前記光網終端装置とのシグナリングによって少なくとも１つのスリープグループのうち１つのスリープグループに前記終端装置が含まれるようにグループ化してもよい。
【００２１】
一実施形態によると、予め設定された時間の間に第２光網終端装置に対するトラフィックが存在しない場合、低電力状態開始要求メッセージを前記第２光網終端装置に送信するステップと、前記光回線終端装置が正常動作のためのアウェイクフォース状態から電力節減のためのローパワースリープ状態に遷移するステップとをさらに含んでもよい。
【００２２】
また、前記ローパワースリープ状態に遷移するステップは、前記第２光網終端装置が含まれるように決定されたスリープグループに前記第２光網終端装置を追加するステップを含んでもよい。
【００２３】
他の一実施形態によると、光回線終端装置から予め決定される第１スリープグループに対するスリープ同期化メッセージを光網終端装置が受信するステップと、前記光網終端装置が前記第１スリープグループに含まれるか否かに応じて前記光回線終端装置との通信有無を決定するステップとを含む光網終端装置の電力節減方法を提供する。
【図面の簡単な説明】
【００２４】
【図１】一般的な光回線終端装置と光網終端装置の関係を示す。
【図２】一比較例に係るサイクリックスリープモードの動作流れ及び動作状態を示す。
【図３】一実施形態に係る光回線終端装置と光網終端装置の関係を示す。
【図４】一実施形態に係る同期化されたスリープ周期を用いた電力節減方法の動作流れ及び動作状態を示す。
【図５】一実施形態に係る同期化されたスリープ周期を用いた電力節減方法の全体的な順序を示す。
【図６】一実施形態に係る光網終端装置のブロック図である。
【図７】一実施形態に係る光回線終端装置のブロック図である。
【図８】一実施形態に他の光網終端装置の電力節減方法を示すフローチャートである。
【図９】一実施形態に係る光回線終端装置の電力節減方法を示すフローチャートである。
【発明を実施するための形態】
【００２５】
以下、一部の実施形態を添付する図面を参照しながら詳細に説明する。しかし、このような実施形態によって権利範囲が制限されたり限定されることはない。各図面に提示された同一の参照符号は同一の部材を示す。
【００２６】
以下の説明で用いられる用語は、関連する技術分野で一般的で普遍的なもので選択したが、技術の発達及び／または変化、慣例、技術者の選好などに応じて他の用語が存在し得る。したがって、以下の説明で用いられる用語は技術的な思想を限定するものとして理解されてはならず、実施形態を説明するための例示的な用語として理解されなければならない。
【００２７】
図１は、一般的な光回線終端装置と光網終端装置の関係を示す。
【００２８】
光回線終端装置（ＯＬＴ）１１０は光加入者網の一部として、サービス提供アップ制側の終端装置である。光回線終端装置１１０は、光加入者網を他のシステムと接続するマルチサービス装置である。例えば、光回線終端装置１１０は、総合有線放送（ＣＡＴＶ）、ＩＰネットワーク、ＶｏＩＰ（Ｖｏｉｃｅ  ｏｖｅｒ  Ｉｎｔｅｒｎｅｔ  Ｐｒｏｔｏｃｏｌ）、または他のネットワーク網などと光加入者網を接続してもよい。
【００２９】
光網終端装置（ＯＮＴ）１２１〜１２７は、次世代通信網を構成する光加入者系システムに接続するための終端装置である。光網終端装置１２１〜１２７は、サービス加入者側の光終端装置として、光ファイバーなどによって光回線終端装置１１０と接続されてもよい。
【００３０】
ネットワーク分野における電力消耗を説明すると、加入者網の電力消耗が全体ネットワーク電力消費量の大部分を占めている。その内でも各家庭に普及する光網終端装置１２１〜１２７の電力消費量が全体電力消費量で占める比率は大きい。
【００３１】
このように次世代光加入者網における電力節減の重要性が認識され、今まで標準として議論された電力節減方式はドーズスリープモードとサイクリックスリープモードがある。ただし、上述したようにドーズスリープモードは安定した運用が可能であるが、電力節減の効率が低く、サイクリックスリープモードは電力節減の効率は高められるが、正確な動作実現のために複雑な制御方式を必要とする。
【００３２】
また、サイクリックスリープモードは、複雑にハードウェアが構成されたにもかかわらず予測できないプロセシング遅延及び偏差が発生することがある。前記プロセシング遅延及び偏差を補償するために、光網終端装置はＴアウェア（ａｗａｒｅ）時間がより大きく設定されなければならない問題がある。
【００３３】
以下、サイクリックスリープモードの動作流れ及び動作状態を説明することによって上述した問題を具体的に説明する。
【００３４】
図２は、一比較例に係るサイクリックスリープモードの動作流れ及び動作状態を示す。
【００３５】
図２を参照すると、一比較例に係る光網終端装置（ＯＮＴ）がサイクリックスリープモードで動作する場合の動作流れ、光網終端装置の状態２１０、光回線終端装置２２０の状態、及び光網終端装置の光送受信機の状態２４０を示す。
【００３６】
光網終端装置は、電力節減状態ではない正常なデータ送受信が行われる正常動作時にアクティブヘルド（Ａｃｔｉｖｅ  Ｈｅｌｄ）２１１の状態として動作する。ここで、正常なデータ送受信が行われる正常動作は、電力節減のために光網終端装置の光受信機または光送信機が周期的にオン／オフされる状態ではなく、継続して光受信機及び光送信機がオンされている状態であってもよい。
【００３７】
光網終端装置は一定期間の間もトラフィックが存在しないときにＬＳＩ（Ｌｏｃａｌ  Ｓｌｅｅｐ  Ｉｎｄｉｃａｔｉｏｎ）イベントが発生し、光回線終端装置から低電力状態開始要求メッセージ（ＳＡ（ＯＮ）：Ｓｌｅｅｐ  Ａｌｌｏｗ（ＯＮ））２３１を待機する。
【００３８】
光回線終端装置の側面では第１光網終端装置が正常動作している場合、前記第１光網終端装置に対してアウェイクフォース２２１の状態として動作してもよい。
【００３９】
また、第１光網終端装置に送受信するトラフィックが一定の期間存在しない場合、！ＬＷＩ（！Ｌｏｃａｌ  Ｗａｋｅ−ｕｐ  Ｉｎｄｉｃａｔｉｏｎ）イベントを発生させ、直ちに低電力状態開始要求メッセージ（ＳＡ（ＯＮ））２３１を第１光網終端装置に送信してもよい。その後、光回線終端装置は、光回線終端装置の低電力状態のうち１つのアウェイクフリー（Ａｗａｋｅ  Ｆｒｅｅ）２２２状態に遷移してもよい。
【００４０】
光回線終端装置から低電力状態開始要求メッセージ（ＳＡ（ＯＮ））２３１を受信した第１光網終端装置は、光網終端装置の低電力状態のうち１つのアクティブフリー（Ａｃｔｉｖｅ  Ｆｒｅｅ）２１２状態に遷移してもよい。また、低電力状態開始要求メッセージ（ＳＡ（ＯＮ））２３１に対する応答として、光回線終端装置に低電力状態転換メッセージ（ＳＲ（スリープ（Ｓｌｅｅｐ））：Ｓｌｅｅｐ  Ｒｅｑｕｅｓｔ）２３２を送信する。その後、第１光網終端装置は、スリープアウェア（Ｓｌｅｅｐ  Ａｗａｒｅ）２１３、２１５、２１７の状態とアスリープ（Ａｓｌｅｅｐ）２１４、２１６の状態を繰り返すサイクリックスリープ（Ｃｙｃｌｉｃ  Ｓｌｅｅｐ）モードが始まる。
【００４１】
アウェイクフリー２２２状態で低電力状態転換メッセージ（ＳＲ（スリープ））２３２を受信した光回線終端装置は、ローパワースリープ（Ｌｏｗ  Ｐｏｗｅｒ  Ｓｌｅｅｐ）２２３の状態に遷移する。第１光網終端装置がサイクリックスリープモードを保持する限り、光回線終端装置はローパワースリープ２２３の状態を保持する。
【００４２】
第１光網終端装置は、サイクリックスリープモードの間にスリープアウェア２１３、２１５、２１７の状態が保持される時間、言い換えれば、Ｔアウェア２４１、２４３時間の間光送受信機をオンする。一方、第１光網終端装置は、アスリープ２１４、２１６の状態が保持される時間、言い換えれば、Ｔアスリープ２４２、２４４時間の間に光送受信機をオフする。
【００４３】
光回線終端装置は周期的に、第１光網終端装置がスリープアウェア状態のとき受信できるように帯域を割り当てる（Ｇｒａｎｔ）２３５。また、割り当てられた帯域に第１光網終端装置は応答することによって（Ｒｅｓｐｏｎｓｅ）２３６、第１光網終端装置がサイクリックスリープモードで正常動作していることを知らせる。
【００４４】
サイクリックスリープモードが続けて行われている過程で、光回線終端装置に第１光網終端装置に送信するデータが受信される場合、光回線終端装置にＬＷＩ（Ｌｏｃａｌ  Ｗａｋｅ−ｕｐ  Ｉｎｄｉｃａｔｉｏｎ）イベントが発生し、光回線終端装置はアラートスリープ（Ａｌｅｒｔｅｄ  Ｓｌｅｅｐ）２２４の状態に遷移する。
【００４５】
その後、光回線終端装置は、第１光網終端装置のスリープアウェア２１７の状態に合わせてサイクリックスリープモードの中止を要求する低電力状態終了要求メッセージＳＡ（ＯＦＦ）２３３を送信する。
【００４６】
低電力状態終了要求メッセージＳＡ（ＯＦＦ）２３３を受信した第１光網終端装置は、低電力状態転換終了メッセージＳＲ（アウェイク（Ａｗａｋｅ））２３４を光回線終端装置に送信してアクティブヘルド２１８状態に遷移する。低電力状態転換終了メッセージＳＲ（アウェイク）２３４を受信した光回線終端装置は、アウェイクフォース（Ａｗａｋｅ  Ｆｏｒｃｅｄ）２２５の状態に遷移して正常動作を行う。
【００４７】
上記では説明の目的のためにサイクリックスリープモードを中心に説明したが、ドーズスリープモードは、サイクリックスリープモードと比較してアスリープ状態で光受信機がオンされることを除いてサイクリックスリープモードと同一に動作してもよい。したがって、ドーズスリープモードに対する説明は省略する。
【００４８】
上述したサイクリックスリープモードを用いた電力節減方式ではそれぞれの光網終端装置のサイクリックスリープモードが互いに非同期的に動作する。言い換えれば、サイクリックスリープモードとして動作している光網終端装置ごとに光送受信機のオン／オフ動作時間がすべて異なるという意味である。
【００４９】
したがって、光回線終端装置は、サイクリックスリープモードとして動作している光網終端装置の光送受信機オン／オフ時間を正確に把握しなければならない。また、光回線終端装置は、オン時間に合わせて正確にメッセージを送信すべきである。
【００５０】
しかし、このような動作要求事項（光回線終端装置が光網終端装置のスリープアウェア時間に合わせてメッセージ送信）は、光回線終端装置に極めて複雑なハードウェア構成を必要とする問題がある。
【００５１】
結果的として、従来のサイクリックスリープモードを用いた電力節減方式は、光回線終端装置と光網終端装置との間の非同期的なスリープ周期管理による光回線終端装置のハードウェア複雑度が増加する問題を引き起こす。また、光回線終端装置及び光網終端装置の予測できないプロセシング遅延、ジッター及び送信遅延などによってＴアウェア（ａｗａｒｅ）時間を十分に大きく設定しなければならないＴアウェア時間の補償問題を引き起こす。
【００５２】
図３は、一実施形態に係る光回線終端装置と光網終端装置の関係を示す。
【００５３】
図３では一実施形態に係る光回線終端装置３４０が同期的なスリープ周期管理のために光網終端装置３１０、３１１、３１２、３２１、３２２、３３１、３３２、３３３を３つのグループに分類して示す。
【００５４】
光回線終端装置３４０と通信するすべての光網終端装置に同一のスリープ同期化メッセージ（ＳＡ：Ｓｌｅｅｐ  Ａｌｌｏｗ）を送信してもよい。ただし、各光網終端装置が提供しているサービスの終了及び各光網終端装置のハードウェアの性能を考慮して互いに異なる周期を有するスリープ同期化メッセージ（ＳＡ）を送信することが電力節減において効率的である。
【００５５】
図３では、光回線終端装置３４０が第１スリープグループ３１０、第２スリープグループ３２０、及び第３スリープグループ３３０に光網終端装置をグループ化した。各スリープグループは、互いに異なるスリープ周期を有する。ここで、スリープ周期とは、サイクリックスリープモードでは光送受信機がすべてオフされる時間であり、ドーズスリープモードでは光送信機がオフされる時間であってもよい。
【００５６】
各スリープグループのスリープ周期は、スリープグループそれぞれに含まれる光網終端装置が提供しているサービスの種類、及び前記光網終端装置のハードウェアの性能に応じて相異に設定してもよい。
【００５７】
例えば、インターネット電話（ＶｏＩＰ）サービスを提供する光網終端装置の場合、光回線終端装置から電話を受信するイベントが発生する。したがって、前記光網終端装置のスリープ周期を長く設定することができないため、スリープ周期Ｔスリープ（ｓｌｅｅｐ）＿ｉが小さいスリープグループに前記インターネット電話サービスを提供する光網終端装置をジョインさせてもよい。
【００５８】
一方、単純データサービスのみを提供する光網終端装置の場合には、スリープ周期をより長く設定してもよい。したがって、スリープ周期が長いスリープグループに前記単純データサービスのみを提供する光網終端装置をジョインさせてもよい。
【００５９】
更なる例として、光網終端装置で用いられている光送受信機及び電子回路のハードウェアスペックが異なる場合がある。例えば、第１光網終端装置は短いスリープ周期を支援可能なハードウェアスペックを有し、第２光網終端装置はハードウェアスペックが低くて短いスリープ周期を支援できない場合がある。アスリープ状態からスリープアウェア状態に遷移するために第２光網終端装置は、第１光網終端装置に比べてさらに長い時間を必要とする。したがって、光網終端装置のハードウェアスペックを考慮して適するスリープ周期を有するスリープグループに属するように光回線終端装置を決定することができる。
【００６０】
上述したように第１スリープグループ３１０の第１スリープ周期Ｔスリープ＿１、第２スリープグループ３２０の第２スリープ周期Ｔスリープ＿２、及び第３スリープグループ３３０の第３スリープ周期Ｔスリープ＿３は互いに異なってもよい。
【００６１】
光網終端装置は、光回線終端装置３４０とのシグナリングによって少なくとも１つのスリープグループのうち１つのスリープグループに含まれるようにグループ化してもよい。光回線終端装置３４０は、光網終端装置で提供しているサービスの種類及び光網終端装置のハードウェアスペックに基づいてシグナリングによって適するスリープ周期を有するスリープグループに含まれるようにグループ化することができる。
【００６２】
一実施形態によると、シグナリングは、光回線終端装置が光網終端装置を初期ブリング−アップ（Ｂｒｉｎｇ−ｕｐ）する過程からなり得る。具体的には、ＯＭＣＩ（ＯＮＴ  Ｍａｎａｇｅｍｅｎｔ  Ｃｏｎｔｒｏｌ  Ｉｎｔｅｒｆａｃｅ）シグナリングによって光網終端装置と光回線終端装置がデータのやり取りする過程で、光網終端装置をいかなるスリープグループに属するかを決定してもよい。言い換えれば、光網終端装置が初期パワーオンして、光回線終端装置が光網終端装置を発見して通信サービスを可能にするステップで前記シグナリングが行われてもよい。
【００６３】
上述したように、光回線終端装置３４０とのシグナリングによって光網終端装置が電力節減のためのスリープ同期化状態に遷移される場合に含まれるスリープグループが決定されてもよい。光回線終端装置３４０は前記スリープグループのメンバーを管理し、前記スリープグループにマルチキャスト方式でスリープ同期化メッセージを送信してもよい。また、光回線終端装置３４０は、各スリープグループごとに各スリープグループのスリープ周期で前記スリープ同期化メッセージを送信してもよい。そのため、同じスリープグループに属する光網終端装置間のスリープ周期が同期化され得る。
【００６４】
また、他のスリープグループに属してもスリープ周期が重なって同時にスリープ同期化メッセージを送信してもよい。この場合にも、スリープ同期化メッセージが同時に送信されるスリープグループ間にスリープ周期が同期化されてもよい。
【００６５】
以下、一実施形態に係る同期化されたスリープ周期を用いた電力節減方法をより具体的に説明する。
【００６６】
図４は、一実施形態に係る同期化されたスリープ周期を用いた電力節減方法の動作流れ及び動作状態を示す。
【００６７】
図４を参照すると、一実施形態に係る同期化されたスリープ周期を用いた光網終端装置（ＯＮＴ）及び光回線終端装置（ＯＬＴ）の電力節減方法で、光網終端装置の状態４１０、光回線終端装置の状態４２０、及び光網終端装置の光送受信機の状態４４０を示す。
【００６８】
光網終端装置は、電力節減状態ではない正常なデータ送受信が行われる正常動作のときアクティブヘルド（Ａｃｔｉｖｅ  Ｈｅｌｄ）４１１の状態で動作する。ここで、正常なデータ送受信が行われる正常動作は、電力節減のために光網終端装置の光受信機または光送信機が周期的にオン／オフされる状態ではなく、続いて光受信機及び光送信機がオンしている状態であってもよい。
【００６９】
光網終端装置は、一定期間の間にトラフィックが存在しない場合にＬＳＩ（Ｌｏｃａｌ  Ｓｌｅｅｐ  Ｉｎｄｉｃａｔｉｏｎ）イベントが発生し、光回線終端装置から低電力状態開始要求メッセージ（ＳＡ（ＯＮ）：Ｓｌｅｅｐ  Ａｌｌｏｗ（ＯＮ））４３１を待機する。
【００７０】
光回線終端装置の側面で、第１光網終端装置が正常動作する場合に前記第１光網終端装置に対してアウェイクフォース（Ａｗａｋｅ  Ｆｏｒｃｅｄ）４２１の状態として動作してもよい。
【００７１】
また、第１光網終端装置に送受信するトラフィックが一定期間に存在しない場合、！ＬＷＩ（！Ｌｏｃａｌ  Ｗａｋｅ−ｕｐ  Ｉｎｄｉｃａｔｉｏｎ）イベントを発生させ、直ちに低電力状態開始要求メッセージ（ＳＡ（ＯＮ））４３１を第１光網終端装置に送信してもよい。光回線終端装置は、低電力状態開始要求メッセージ（ＳＡ（ＯＮ））４３１を第１光網終端装置に送信後第１光網終端装置をシグナリングによって予め約束されているスリープグループにジョインさせてもよい。その後、光回線終端装置はアウェイクフリー（Ａｗａｋｅ  Ｆｒｅｅ）４２２状態に遷移してもよい。
【００７２】
光回線終端装置から低電力状態開始要求メッセージ（ＳＡ（ＯＮ））４３１を受信した第１光網終端装置はアクティブフリー（Ａｃｔｉｖｅ  Ｆｒｅｅ）４１２状態に遷移してもよい。また、低電力状態開始要求メッセージ（ＳＡ（ＯＮ））４３１に対する応答として、光回線終端装置に低電力状態転換メッセージ（ＳＲ（スリープ（Ｓｌｅｅｐ））：Ｓｌｅｅｐ  Ｒｅｑｕｅｓｔ）４３２を送信し、スリープアウェア４１３の状態に遷移してもよい。
【００７３】
アウェイクフリー４２２状態で低電力状態転換メッセージ（ＳＲ（スリープ））４３２を受信した光回線終端装置はローパワースリープ（Ｌｏｗ  Ｐｏｗｅｒ  Ｓｌｅｅｐ）４２３の状態に遷移してもよい。第１光網終端装置が同期化されたスリープモード（Ｓｙｎｃｈｒｏｎｉｚｅｄ  Ｓｌｅｅｐ  Ｍｏｄｅ）を保持する限り、光回線終端装置はローパワースリープ４２３の状態を保持することができる。
【００７４】
サイクリックスリープモードと同様に、同期化されたスリープモードでもスリープアウェア４１３、４１５、４１７の状態が保持される時間、言い換えれば、Ｔアウェア４４１、４４３時間の間に光送受信機をオンしてもよい。一方、第１光網終端装置はアスリープ４１４、４１６の状態が保持される時間、言い換えれば、Ｔスリープ＿ｉ４４２、４４４時間の間に光送受信機をオフしてもよい。
【００７５】
光回線終端装置は、周期的にスリープ同期化メッセージ（ＳＡ（Ｓ＿ｉ）：Ｓｌｅｅｐ  Ａｌｌｏｗ（スリープ（Ｓｌｅｅｐ）＿ｉ））４３３、４３４メッセージをマルチキャスト方式で光網終端装置に送信してもよい。ここで、Ｓ＿ｉはｉ番目のスリープグループを意味し、スリープ同期化メッセージＳＡ（Ｓ＿ｉ）はＴスリープ＿ｉ周期を有して送信されてもよい。言い換えれば、光回線終端装置は、スリープ同期化メッセージＳＡ（Ｓ＿ｉ）を各スリープグループのスリープ周期で各スリープグループに含まれる光網終端装置に送信してもよい。
【００７６】
スリープアウェア状態４１３でスリープ同期化メッセージＳＡ（Ｓ＿ｉ）４３３を受信する場合、第１光網終端装置はアスリープ状態４１４に遷移する。第１光網終端装置のアスリープ状態４１４は、Ｔスリープ＿ｉ時間の間に持続する。言い換えれば、第１光網終端装置のアスリープ状態の持続時間は、第１光網終端装置が含まれているスリープグループのスリープ周期である。
【００７７】
アスリープ４１４状態にあった光網終端装置はＴスリープ＿ｉ時間後にスリープアウェア４１５の状態に遷移してもよい。スリープアウェア４１５の状態に遷移された光網終端装置は、以後に光回線終端装置からスリープ同期化メッセージＳＡ（Ｓ＿ｉ）４３４を受信する場合、再びアスリープ４１６の状態に遷移してもよい。また、アスリープ４１６の状態にあった光網終端装置はＴスリープ＿ｉの時間後再びスリープアウェア４１７の状態に遷移してもよい。
【００７８】
同期化されたスリープモードが続けて行われる過程で、光回線終端装置に第１光網終端装置に送信するデータが受信される場合、光回線終端装置にＬＷＩ（Ｌｏｃａｌ  Ｗａｋｅ−ｕｐ  Ｉｎｄｉｃａｔｉｏｎ）イベントが発生し、光回線終端装置はアラートスリープ４２４の状態に遷移する。
【００７９】
その後、光回線終端装置は、第１光網終端装置のスリープアウェア４１７の状態に合わせてサイクリックスリープモードの中止を要求する低電力状態終了要求メッセージＳＡ（ＯＦＦ）４３５を送信する
【００８０】
スリープアウェア４１７の状態で第１光網終端装置が低電力状態終了要求メッセージＳＡ（ＯＦＦ）４３５を受信する場合、正常動作のためのアクティブヘルド４１８の状態に遷移してデータ送受信正常動作を行ってもよい。また、光回線終端装置は、第１光網終端装置が含まれるスリープグループから第１光網終端装置を除去してもよい。
【００８１】
それとともに、低電力状態終了要求メッセージＳＡ（ＯＦＦ）４３５を受信した第１光網終端装置は、低電力状態転換終了メッセージＳＲ（アウェイク（Ａｗａｋｅ））４３６を光回線終端装置に送信してもよい。低電力状態転換終了メッセージＳＲ（アウェイク）４３６を受信した光回線終端装置は、アウェイクフォース４２５の状態に遷移して正常動作を行う。
【００８２】
上記では説明の目的のためにサイクリックスリープモードと共に光網終端装置の光送受信機が全てオフされるものとして説明したが、ドーズスリープモードと共に光送信機のみがオフされても光受信機がオンされる状態を除いて残りの動作は同一に動作してもよい。
【００８３】
上述したように、一実施形態に係る光網終端装置及び光回線終端装置の電力節減方法は、光網終端装置の送信トラフィックが一定の時間存在しない場合、光回線終端装置とのシグナリングによって低電力モードの同期化されたスリープモードに切り替えることで待機電力を最小化することができる。
【００８４】
また、光回線終端装置は、周期的にスリープ同期化メッセージをマルチキャスト方式でスリープグループごとに送信することによって、低電力モードの同期化されたスリープモードにある光網終端装置のスリープ周期をスリープグループごとに同期化させることができる。
【００８５】
そのため、一実施形態に係る光網終端装置及び光回線終端装置の電力節減方法は、同期化されたスリープ周期管理により光回線終端装置のハードウェアの複雑度を減少させることができる。また、予測不可欠な遅延によるＴアウェア時間の補償問題を解決してＴアウェア時間を最小化することで、光網終端装置の電力節減の効率を極大化することができる。
【００８６】
図５は、一実施形態に係る同期化されたスリープ周期を用いた電力節減方法の全体的な順序を示す。
【００８７】
図５ではスリープグループが３つ形成され、第１スリープグループ５００はＴスリープ＿１のスリープ周期を有し、第２スリープグループ５１０はＴスリープ＿２のスリープ周期を有し、第３スリープグループ５２０はＴスリープ＿３のスリープ周期を有する。
【００８８】
各スリープ周期は自由に決定されるが、動作を簡単に説明するためにＴスリープ＿２はＴスリープ＿１の２倍であり、Ｔスリープ＿３はＴスリープ＿１の３倍であると仮定して説明する。また、第１ＯＮＴ５５０は第１スリープグループに含まれ、第２ＯＮＴ５５１及び第４ＯＮＴ５５３は第２スリープグループに含まれ、第３ＯＮＴ５５２は第３スリープグループに含まれる。
【００８９】
データフレーム５３０内にはＳＡ（Ｓ＿１）、ＳＡ（Ｓ＿２）及びＳＡ（Ｓ＿３）メッセージが同時に含まれて送信されてもよい。第１ＯＮＴ５５０は、スリープアウェア状態でＳＡ（Ｓ＿１）メッセージを受信して直ちにアスリープ状態に遷移した後、Ｔスリープ＿１に対するタイマーを作動させる。第２ＯＮＴ５５１は、スリープアウェア状態でＳＡ（Ｓ＿２）メッセージを受信して直ちにアスリープ状態に遷移した後、Ｔスリープ＿２に対するタイマーを作動させる。第３ＯＮＴ５５２は、スリープアウェア状態でＳＡ（Ｓ＿３）メッセージを受信して直ちにアスリープ状態に遷移した後、Ｔスリープ＿３に対するタイマーを作動させる。第４ＯＮＴ５５３の場合、現在のアクティブフリー状態であるため、受信されたＳＡ（Ｓ＿２）メッセージは状態変化に意味がない。
【００９０】
データフレーム５３１内にはＳＡ（Ｓ＿１）メッセージのみが送信されるため、第１スリープグループ５００に含まれている第１ＯＮＴ５５０についてのみ意味がある。第１ＯＮＴ５５０の場合、以前のＴスリープ＿１タイマーが終わり次第にスリープアウェア状態に遷移してもよい。その後、ＳＡ（Ｓ＿１）メッセージを受信すれば、直ちにアスリープ状態に遷移した後、再びＴスリープ＿１に対するタイマーを作動させる。
【００９１】
第２ＯＮＴ５５１と第３ＯＮＴ５５２の場合、タイマーが終了せずに依然としてアスリープ状態に作動して光送受信機がオフされる状態である。第４ＯＮＴ５５３の場合、アクティブフリー状態でＳＲ（スリープ）メッセージ５３７をＯＬＴに送信してスリープアウェア状態に遷移してもよい。この場合、第４ＯＮＴ５５３は、スリープアウェア状態でＳＡ（Ｓ＿１）メッセージを受信してもよい。第４ＯＮＴ５５３は、第２スリープグループ５１０に含まれているため、ＳＡ（Ｓ＿１）メッセージを無視してもよい。
【００９２】
データフレーム５３２内にはＳＡ（Ｓ＿１）及びＳＡ（Ｓ＿２）メッセージが送信されるため、第１スリープグループ５００と第２スリープグループ５１０に含まれているＯＮＴに対してスリープ同期化機能を行う。第１ＯＮＴ５５０の場合、第１スリープグループ５００に含まれているため、第１ＯＮＴ５５０は、スリープアウェア状態でＳＡ（Ｓ＿１）メッセージを受信する次第にアスリープ状態に遷移してもよい。
【００９３】
第２ＯＮＴ５５１の場合、第２スリープグループ５１０に含まれているため、ＳＡ（Ｓ＿２）メッセージを受信するためにＴスリープ＿２に対するタイマーが終了する次第にスリープアウェア状態に遷移してもよい。第２ＯＮＴ５５１は、ＳＡ（Ｓ＿２）メッセージを受信する次第にアスリープ状態に遷移してＴスリープ＿２に対するタイマーを再設定してもよい。
【００９４】
第３ＯＮＴ５５２の場合、第３スリープグループ５２０に含まれているため、続けてアスリープ状態に保持されて光送受信機がすべてオフされる状態である。第４ＯＮＴ５５３場合、第２スリープグループ５１０に含まれているため、スリープアウェア状態でＳＡ（Ｓ＿２）メッセージを受信すれば、直ちにアスリープ状態に遷移してＴスリープ＿２に対するタイマーを設定してもよい。
【００９５】
データフレーム５３３内にはＳＡ（Ｓ＿１）及びＳＡ（Ｓ＿３）メッセージが送信されるため、第１スリープグループ５００及び第３スリープグループ５２０に含まれているＯＮＴに対してスリープ同期化機能を行う。したがって、第１スリープグループ５００に属する第１ＯＮＴ５５０と第３スリープグループ５２０に属する第３ＯＮＴ５５２がスリープ同期化されてもよい。
【００９６】
第２ＯＮＴ５５１に対するＬＷＩリクエストイベント５６０が発生する場合、ＯＬＴは第２ＯＮＴ５５１を起こすため、ＳＡ（ＯＦＦ）メッセージを送信してもよい。ＳＡ（ＯＦＦ）メッセージをデータフレーム５３４内に入れてユニキャスト方式で第２ＯＮＴ５５１に送信してもよい。
【００９７】
したがって、データフレーム５３４内にはマルチキャスト方式でＳＡ（Ｓ＿１）とＳＡ（Ｓ＿２）メッセージ、ユニキャスト方式で第２ＯＮＴ５５１にＳＡ（ＯＦＦ）メッセージが含まれてもよい。
【００９８】
第１ＯＮＴ５５０の場合、ＳＡ（Ｓ＿１）メッセージに対する例外的な動作状況を見せている。第１ＯＮＴ５５０の光送受信機は、Ｔスリープ＿１に対するタイマーが終わる次第にオンされ、スリープアウェア状態で待機されなければならない。しかし、Ｔスリープ＿１に対するタイマーエラー、あるいはその他のソフトウェアまたはハードウェア的な誤動作によって光送受信機が遅くオンされてスリープアウェア状態に遷移されてもよい。この場合、第１ＯＮＴ５５０は、ＳＡ（Ｓ＿１）メッセージを受信できないこともある。したがって、スリープアウェア状態は、データフレーム５３５内のＳＡ（Ｓ＿１）メッセージを受信するまで持続してもよい。第１ＯＮＴ５５０は、データフレーム５３５内のＳＡ（Ｓ＿１）メッセージを受信してはじめてアスリープ状態に遷移してもよい。
【００９９】
第２ＯＮＴ５５２の場合、ＳＡ（ＯＦＦ）メッセージを受信すれば、直ちにアクティブヘルド状態に遷移して同期化されたスリープモードを終了して正常モードとして動作してもよい。
【０１００】
データフレーム５３６内にはＳＡ（Ｓ＿１）、ＳＡ（Ｓ＿２）及びＳＡ（Ｓ＿３）メッセージが同時に含まれて送信されてもよい。第１ＯＮＴ５５０は、スリープアウェア状態でＳＡ（Ｓ＿１）メッセージを受信して直ちにアスリープ状態に遷移した後、Ｔスリープ＿１に対するタイマーを作動させる。第３ＯＮＴ５５２はスリープアウェア状態でＳＡ（Ｓ＿３）メッセージを受信して直ちにアスリープ状態に遷移した後、Ｔスリープ＿３に対するタイマーを作動させる。第４ＯＮＴ５５３はスリープアウェア状態でＳＡ（Ｓ＿２）メッセージを受信して直ちにアスリープ状態に遷移した後、Ｔスリープ＿２に対するタイマーを作動させる。第２ＯＮＴ５５１は、アクティブヘルド状態であるため受信されたＳＡ（Ｓ＿２）メッセージは状態変化に意味がない。
【０１０１】
図６は、一実施形態に係る光網終端装置のブロック図である。
【０１０２】
光網終端装置６００は、光受信機６１０、光送信機６２０及びプロセッサ６３０を備える。光受信機６１０は光回線終端装置６６０からデータなどを受信してもよく、光送信機６２０は光回線終端装置６６０にデータなどを送信してもよい。
【０１０３】
光網終端装置は、光回線終端装置６６０とのシグナリングによって少なくとも１つのスリープグループのうち１つのスリープグループに含まれるようにグループ化できる。図６を参照すると、光網終端装置６００、６４１は第１スリープグループ６４０にグループ化され、光網終端装置６５１、６５２、６５３は第２スリープグループ６５０にグループ化される。光網終端装置のグループ化方法などについては図３を参照して説明した通りである。
【０１０４】
電力節減のために、同期化されたスリープモードで光受信機６１０及び光送信機６２０はアスリープ状態ではオフされ、スリープアウェア状態ではオンされる。また、ドーズスリープモードのように光受信機６１０は常にオンされ、光送信機６２０がアスリープ状態でオフされ、スリープアウェア状態でオンされる。
【０１０５】
プロセッサ６３０は、光回線終端装置６６０から受信されるスリープ同期化メッセージに基づいて光受信機６１０及び光送信機６２０がオンまたはオフされるように制御してもよい。プロセッサ６３０は、光回線終端装置６６０とのシグナリングによって光網終端装置６００が少なくとも１つのスリープグループのうち１つのスリープグループに含まれるようにグループ化される。
【０１０６】
プロセッサ６３０は、受信されたスリープ同期化メッセージが光網終端装置６００が含まれる第１スリープグループ６４０に対するスリープ同期化メッセージであるかを判断する。受信されたスリープ同期化メッセージが第１スリープグループ６４０に対するスリープ同期化メッセージである場合、プロセッサ６３０は光受信機６１０及び光送信機６２０をオフさせる。
【０１０７】
一方、受信されたスリープ同期化メッセージが第１スリープグループ６４０に対するスリープ同期化メッセージではない場合、プロセッサ６３０は光受信機６１０及び光送信機６２０のオン状態を継続して保持させる。
【０１０８】
また、プロセッサ６３０は、光網終端装置６００の状態遷移を制御してもよい。例えば、光回線終端装置６６０から低電力状態終了要求メッセージを受信する場合、光網終端装置６００をスリープアウェア状態で正常動作を行うためのアクティブヘルド状態に遷移させる。
【０１０９】
それとともに、プロセッサ６３０は、光回線終端装置６６０から第１スリープグループ６４０に対するスリープ同期化メッセージを受信する場合、光送信機をオフするアスリープ状態に前記光網終端装置６００を遷移させてもよい。
【０１１０】
図７は、一実施形態に係る光回線終端装置のブロック図である。
【０１１１】
光回線終端装置７００は、通信部７１０及びプロセッサ７２０を備える。通信部７１０は光網終端装置とデータなどを送受信してもよい。
【０１１２】
プロセッサ７２０は、少なくとも１つの光網終端装置を少なくとも１つのスリープグループにグループ化してもよい。また、プロセッサ７２０は、グループ化する過程で少なくとも１つのスリープグループそれぞれのスリープ周期を相異に設定してもよい。
【０１１３】
少なくとも１つのスリープグループそれぞれのスリープ周期は、スリープグループそれぞれに含まれる光網終端装置が提供しているサービスの種類及び光網終端装置のハードウェアの性能に応じて相異に設定されてもよい。
【０１１４】
例えば、プロセッサ７２０は、光網終端装置と通信部７１０を通したシグナリングによって第１スリープグループ７３０、第２スリープグループ７４０、及び第３スリープグループ７５０に光網終端装置をグループ化してもよい。第１スリープグループ７３０には光網終端装置７３１、７３２が含まれ、第２スリープグループ７４０には光網終端装置７４１、７４２、７４３が含まれ、第３スリープグループ７５０には光網終端装置７５１、７５２が含まれる。
【０１１５】
第１スリープグループ７３０、第２スリープグループ７４０、及び第３スリープグループ７５０の各スリープ周期は、互いに相異に設定されてもよい。プロセッサ７２０は、通信部７１０を用いてそれぞれの光網終端装置とのシグナリングによって各スリープグループに含まれる光網終端装置が提供するサービスの種類及び光網終端装置のハードウェア性能に応じてスリープ周期を相異に設定してもよい。
【０１１６】
プロセッサ７２０は、通信部７１０を用いて各スリープグループに各スリープグループのスリープ周期にスリープ同期化メッセージをマルチキャスト方式で送信してもよい。プロセッサ７２０は、スリープ同期化メッセージを介して光網終端装置の状態をスリープアウェア状態からアスリープ状態に遷移させてもよい。
【０１１７】
プロセッサ７２０は、特定の光網終端装置に一定期間の間にトラフィックが存在しない場合、低電力状態開始要求メッセージを特定の光網終端装置に送信するようにしてもよい。また、プロセッサ７２０は、特定の光網終端装置に送信するトラフィックが受信される場合、特定の光網終端装置が含まれるスリープグループから前記特定の光網終端装置を除去してもよい。それとともに、プロセッサ７２０は、前記特定の光網終端装置に低電力状態終了要求メッセージを送信し、光網終端装置が正常モードとして動作するように誘導する。
【０１１８】
また、プロセッサ７２０は、光回線終端装置７００の状態遷移を制御してもよい。例えば、特定の光網終端装置に送信するデータが受信される場合、ローパワースリープ状態からアラートスリープ状態に光回線終端装置７００の状態を遷移させてもよい。
【０１１９】
図８は、一実施形態に他の光網終端装置の電力節減方法を示すフローチャートである。
【０１２０】
ステップＳ８１０において、光網終端装置は光回線終端装置から第１スリープグループに対するスリープ同期化メッセージを受信する。光回線終端装置がスリープグループごとにマルチキャスト方式でスリープ同期化メッセージを送信してもよく、全体の光網終端装置に同一のスリープ同期化メッセージを送信してもよい。
【０１２１】
ステップＳ８２０において、光網終端装置が第１スリープグループに含まれるかを判断する。上述したように光回線終端装置がスリープグループごとにマルチキャスト方式でスリープ同期化メッセージを送信する場合、本ステップは省略して直ちにステップＳ８３０から行われてもよい。
【０１２２】
ただし、光回線終端装置が全体光網終端装置に同一のスリープ同期化メッセージを送信する場合、光網終端装置が第１スリープグループに含まれるかを判断する過程が先行する必要がある。すべてのスリープグループに対するスリープ同期化メッセージに反応して光網終端装置の状態が遷移されれば、電力節減の効率が減少し得る。
【０１２３】
ステップＳ８３０において、光網終端装置が第１スリープグループに含まれる場合、光網終端装置は光送受信機がオフされるアスリープ状態に遷移する。光網終端装置が第１スリープグループに含まれる場合、前記第１スリープグループに対するスリープ同期化メッセージを介して第１スリープグループに含まれるすべての光網終端装置のスリープ周期を同期化させる。光網終端装置はアスリープ状態に遷移する場合、第１スリープ周期に対するタイマーを作動させる。
【０１２４】
ステップＳ８４０において、第１スリープグループの第１スリープ周期が経過した後、光網終端装置は光送受信機がオンされるスリープアウェア状態に遷移する。電力節減のための同期化されたスリープモードでも再び正常モードとして動作するためのメッセージなどを受信するために一定間隔で光送受信機がオンされる必要がある。
【０１２５】
ステップＳ８５０において、光網終端装置が第１スリープグループに含まれない場合、光送受信機がオンされるスリープアウェア状態を保持する。すべてのスリープグループに対するスリープ同期化メッセージに反応して光網終端装置の状態が遷移されれば、電力節減の効率が減少することがある。したがって、光網終端装置が含まれるスリープグループではない他のスリープグループに対するスリープ同期化メッセージを介しては光網終端装置の状態変化が発生しない。
【０１２６】
図９は、一実施形態に係る光回線終端装置の電力節減方法を示すフローチャートである。
【０１２７】
ステップＳ９１０において、光回線終端装置は、光網終端装置とのシグナリングによって光網終端装置を少なくとも１つのスリープグループにグループ化する。光回線終端装置は、光網終端装置が提供するサービスの種類及び光網終端装置のハードウェア性能に応じてスリープ周期を考慮してグループ化してもよい。
【０１２８】
ステップＳ９２０において、光回線終端装置は少なくとも１つのスリープグループに対するスリープ同期化メッセージを光網終端装置に送信する。光回線終端装置は、各スリープグループごとに各スリープグループのスリープ周期ごとにスリープ同期化メッセージをマルチキャスト方式で送信してもよい。
【０１２９】
ステップＳ９３０において、光回線終端装置は第１光網終端装置に送信するデータが受信される場合、ローパワースリープ状態からアラートスリープ状態に遷移する。光回線終端装置はアラートスリープ状態に遷移する場合、低電力状態終了メッセージを第１光網終端装置に送信してもよい。
【０１３０】
ステップＳ９４０において、光回線終端装置は第１光網終端装置が含まれるスリープグループから第１光網終端装置を除去する。第１光網終端装置をスリープグループから除去することによって、スリープ同期化メッセージがこれ以上第１光網終端装置に送信されないようにする。
【０１３１】
以上で説明した装置は、ハードウェア構成要素、ソフトウェア構成要素、及び／またはハードウェア構成要素及びソフトウェア構成要素の組合で実現してもよい。例えば、実施形態で説明された装置及び構成要素は、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、または、命令（ｉｎｓｔｒｕｃｔｉｏｎ）を実行して応答できる異なる装置のように、１つ以上の汎用コンピュータまたは特殊目的のコンピュータを用いて実現されてもよい。処理装置は、運用体制（ＯＳ）及び前記運用体制上で行われる１つ以上のソフトウェアアプリケーションを行ってもよい。また、処理装置は、ソフトウェアの実行に応答してデータをアクセス、格納、操作、処理及び生成してもよい。理解の便宜のために、処理装置は１つ使用されるものと説明された場合もあるが、当該の技術分野で通常の知識を有する者は、処理装置が複数の処理要素（ｐｒｏｃｅｓｓｉｎｇ  ｅｌｅｍｅｎｔ）及び／または複数類型の処理要素を含んでいることが分かる。例えば、処理装置は、複数のプロセッサまたは１つのプロセッサ及び１つのコントローラを含んでもよい。また、並列プロセッサ（ｐａｒａｌｌｅｌ  ｐｒｏｃｅｓｓｏｒ）のような、他の処理構成も可能である。
【０１３２】
ソフトウェアはコンピュータプログラム、コード、命令、またはこのうちの１つ以上の組合を含んでもよく、希望の通りに動作するよう処理装置を構成したり独立的または結合的に処理装置を命令してもよい。ソフトウェア及び／またはデータは、処理装置によって解釈されたり処理装置に命令またはデータを提供するためどのような類型の機械、構成要素、物理的装置、仮想装置、コンピュータ格納媒体または装置、送信される信号波に永久的または一時的に具体化できる。ソフトウェアは、ネットワークに接続されたコンピュータシステム上に分散し、分散された方法で格納されたり実行されてもよい。ソフトウェア及びデータは１つ以上のコンピュータで読み出し可能な記録媒体に格納されてもよい。
【０１３３】
実施形態に係る方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などのうち１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。プログラム命令の例には、コンパイラによって作られるような機械語コードだけでなく、インタープリタなどを用いてコンピュータによって実行できる高級言語コードが含まれる。前記したハードウェア装置は、本発明の動作を行うために１つ以上のソフトウェアモジュールとして作動するように構成されてもよく、その逆も同様である。
【０１３４】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【０１３５】
したがって、本発明の範囲は、開示された実施形態に限定されるものではなく、特許請求の範囲だけではなく特許請求の範囲と均等なものなどによって定められるものである。
【図１】
2015033139.tif 000003
【図２】
2015033139.tif 000004
【図３】
2015033139.tif 000005
【図４】
2015033139.tif 000006
【図５】
2015033139.tif 000007
【図６】
2015033139.tif 000008
【図７】
2015033139.tif 000009
【図８】
2015033139.tif 000010
【図９】
2015033139.tif 000011